(57)【要約】【課題】識別部材を取り付けることができるとともに，取り付けられている識別部材を，外面側からのみならず上方からでも見ることができる容器を提供すること。【解決手段】底面部２と，側面部４とを有し，側面部４の上端が開口部をなしている容器１０を対象とする。容器１０は，容器本体１５と識別部材７とを有しており，底面部２や側面部４は容器本体１５の一部分である。側面部４の上端に，識別部材７を，上方向きおよび側方向きに露出させるように取り付ける取付形状部１６が形成されている。識別部材７には，取付状態で上方向きに露出する上方露出部１１および側方向きに露出する側方露出部１２とが形成されている。【選択図】図３
2019064715.tif 000002
【特許請求の範囲】
【請求項１】
底面部と，前記底面部の縁辺から上方側に設けられた側面部とを有し，前記側面部の上端が開口部をなしている容器であって，
容器本体と，前記容器本体に取り付けられる識別部材とを有し，
前記底面部および前記側面部は前記容器本体の一部分であり，
前記容器本体の前記側面部の上端に，前記識別部材を，上方向きおよび側方向きに露出させるように取り付ける取付形状部が形成されており，
前記識別部材には，前記取付形状部に取り付けられた状態で上方向きに露出する上方露出部および同状態で側方向きに露出する側方露出部とが形成されていることを特徴とする容器。
【請求項２】
請求項１に記載の容器であって，
前記取付形状部は，
前記側面部の上端面から凹んだ上方取付形状部と，
前記側面部の壁面から凹んでおり前記上方取付形状部に繋がる側方取付形状部とを含んでおり，
前記識別部材は，
前記上方取付形状部に保持され前記上方露出部を有する上方部と，
前記側方取付形状部に保持され前記側方露出部を有する側方部とを有し，
前記上方部と前記側方部とは互いに交差する方向に形成されていることを特徴とする容器。
【請求項３】
請求項２に記載の容器であって，
前記側面部は，
前記上端面をなす鍔状の上フランジと，
前記上フランジと前記底面部との間に位置する鍔状の下フランジとを有しており，
前記上フランジに前記上方取付形状部が形成されるとともに，
前記上フランジと前記下フランジとの間の部位に前記側方取付形状部が形成されており，
前記上方取付形状部と前記側方取付形状部との少なくとも一方に，前記識別部材に部分的に覆い被さる識別部材保持部，または前記識別部材と引っ掛かり合って抜け落ちを防ぐ識別部材係止部が設けられていることを特徴とする容器。
【請求項４】
請求項３に記載の容器であって，
前記上方取付形状部と前記側方取付形状部との一方に，前記識別部材保持部が設けられているとともに，
前記上方取付形状部および前記側方取付形状部のうち前記識別部材保持部以外の部分が，前記識別部材を，前記識別部材保持部よりも幅広に露出させる拡幅露出部分とされていることを特徴とする容器。
【請求項５】
請求項１から請求項４のいずれか１つに記載の容器であって，前記識別部材を前記容器本体に取り付けた状態にて，
前記識別部材の前記上方露出部および前記側方露出部がいずれも，前記容器本体の前記側面部の上端面または壁面と同一面をなす位置もしくはそこから凹んだ位置にあることを特徴とする容器。
【発明の詳細な説明】
【技術分野】
【０００１】
本発明は，収納物を収納する容器に関する。さらに詳細には，収納物の種類その他の用途を識別する識別部材を取り付けることができるようにされている容器に関するものである。
【背景技術】
【０００２】
従来のこの種の容器として，特許文献１に記載されているものを挙げることができる。特許文献１の「マーカー板係止構造付容器」は，その第１図に示されるように，「マーカー板（Ｂ）」を係止できるようになっている。すなわち同図には，「容器（Ａ）」の「側壁（１）」の外面に「マーカー板（Ｂ）」が取り付けられている状態が示されている。これにより，ユーザーが「マーカー板（Ｂ）」を見ることで，「容器（Ａ）」の内容物等について識別できるようになっている。なお，「マーカー板（Ｂ）」は「容器（Ａ）」に対して取り替え可能とされている。
【先行技術文献】
【特許文献】
【０００３】
【特許文献１】公開実用昭58-156632号
【発明の概要】
【発明が解決しようとする課題】
【０００４】
しかしながら前記した従来の技術には，次のような問題点があった。すなわち，特許文献１の第１図のように取り付けられている「マーカー板（Ｂ）」は，「容器（Ａ）」の「側壁（１）」の外面側からでなければ見ることができない。このため「容器（Ａ）」の上方からでは，「マーカー板（Ｂ）」による「容器（Ａ）」の識別ができなかった。また，「マーカー板（Ｂ）」を「容器（Ａ）」における複数箇所の「側壁（１）」に取り付けることも可能であるが，その場合に複数の「マーカー板（Ｂ）」を同時に見ることはできなかった。
【０００５】
本発明は，前記した従来の技術が有する問題点を解決するためになされたものである。すなわちその課題とするところは，識別部材を取り付けることができるとともに，取り付けられている識別部材を，外面側からのみならず上方からでも見ることができる容器を提供することにある。
【課題を解決するための手段】
【０００６】
本発明の一態様における容器は，底面部と，底面部の縁辺から上方側に設けられた側面部とを有し，側面部の上端が開口部をなしているものであって，容器本体と，容器本体に取り付けられる識別部材とを有し，底面部および側面部は容器本体の一部分であり，容器本体の側面部の上端に，識別部材を，上方向きおよび側方向きに露出させるように取り付ける取付形状部が形成されており，識別部材には，取付形状部に取り付けられた状態で上方向きに露出する上方露出部および同状態で側方向きに露出する側方露出部とが形成されているものである。
【０００７】
上記態様における容器では，識別部材を容器本体の取付形状部に取り付けた状態とすることができる。その状態では，識別部材の上方露出部が上方向きに露出しており，かつ，側方露出部が側方向きに露出している。このため，側方からでも上方からでも識別部材を視認することができる。したがって，容器における識別部材を視認しやすい。また，１つの容器に複数の識別部材を取り付ける態様とすることができる。その場合，容器を上方または斜め上方から見れば，複数の識別部材を同時に視認することができる。
【０００８】
上記態様における容器ではさらに，取付形状部が，側面部の上端面から凹んだ上方取付形状部と，側面部の壁面から凹んでおり上方取付形状部に繋がる側方取付形状部とを含んでおり，識別部材が，上方取付形状部に保持され上方露出部を有する上方部と，側方取付形状部に保持され側方露出部を有する側方部とを有し，上方部と側方部とは互いに交差する方向に形成されている構成であることが望ましい。つまり識別部材は略逆Ｌ字断面のものであることが望ましい。このようになっていれば，識別部材の上方部と側方部とがそれぞれ，容器本体側の所定の取付形状部に取り付けられた状態となり，上方露出部および側方露出部が該当する向きに露出した状態となる。
【０００９】
識別部材が略逆Ｌ字断面である態様ではさらに，側面部は，上端面をなす鍔状の上フランジと，上フランジと底面部との間に位置する鍔状の下フランジとを有しており，上フランジに上方取付形状部が形成されるとともに，上フランジと下フランジとの間の部位に側方取付形状部が形成されており，上方取付形状部と側方取付形状部との少なくとも一方に，識別部材に部分的に覆い被さる識別部材保持部，または識別部材と引っ掛かり合って抜け落ちを防ぐ識別部材係止部が設けられていることが望ましい。このようになっていれば取付状態での識別部材は，識別部材保持部または識別部材係止部により，容易に容器本体から脱落しないように保持される。なお，識別部材係止部を設ける場合には，識別部材に，取付状態で識別部材係止部と引っ掛かり合う被係止部が設けられることが望ましい。
【００１０】
識別部材保持部が形成されている態様ではさらに，上方取付形状部と側方取付形状部との一方に，識別部材保持部が設けられているとともに，上方取付形状部および側方取付形状部のうち識別部材保持部以外の部分が，識別部材を，識別部材保持部よりも幅広に露出させる拡幅露出部分とされていることが望ましい。このようになっていれば，識別部材が，拡幅露出部分により幅広に露出されているので，より視認しやすい。
【００１１】
上記のいずれかの態様の容器ではさらに，識別部材を容器本体に取り付けた状態にて，識別部材の上方露出部および側方露出部がいずれも，容器本体の側面部と同一面をなす位置もしくは凹んだ位置にあることが望ましい。より詳細に言えば，識別部材の上方露出部が側面部の上端面と同一面をなす位置もしくはそこから凹んだ位置にあり，かつ側方露出部が側面部の壁面と同一面をなす位置もしくはそこから凹んだ位置にあることが望ましい。このようになっていれば，識別部材が側面部から上方あるいは側方にはみ出ることがない。このため，容器の取り扱い上，識別部材が邪魔になることがない。
【発明の効果】
【００１２】
本構成によれば，識別部材を取り付けることができるとともに，取り付けられている識別部材を，外面側からのみならず上方からでも見ることができる容器が提供されている。
【図面の簡単な説明】
【００１３】
【図１】実施の形態に係る容器の斜視図である。
【図２】実施の形態に係る容器における識別部材の斜視図である。
【図３】図１の容器の短辺側面部の斜視図である。
【図４】短辺側面部をさらに高い俯角から見た斜視図である。
【図５】取り付け状態での識別部材およびその周辺部分の断面図（その１）である。
【図６】取り付け状態での識別部材およびその周辺部分の断面図（その２）である。
【図７】取り付け状態での識別部材およびその周辺部分の断面図（その３）である。
【図８】取り付け状態での識別部材およびその周辺部分の断面図（その４）である。
【図９】取り付け状態での識別部材およびその周辺部分の断面図（その５）である。
【図１０】実施の形態に係る容器を積み重ねた状態を示す斜視図である。
【発明を実施するための形態】
【００１４】
以下，本発明を具体化した実施の形態について，添付図面を参照しつつ詳細に説明する。本形態は，図１に示す容器１０として本発明を具体化したものである。図１の容器１０は，長方形状の底面部２と，底面部２の縁辺から上方側に設けられた長辺側面部３および短辺側面部４とを有している。容器１０は，底面部２と長辺側面部３と短辺側面部４との全体で，上方が開口した略直方体形状をなしているものである。また，長辺側面部３および短辺側面部４の上端には，略長方形の鍔状の上フランジ５が形成されている。そして，長辺側面部３および短辺側面部４における上フランジ５より下方の位置には，これも鍔状である下フランジ６が形成されている。下フランジ６は，上フランジ５と底面部２との間に位置している。
【００１５】
図１に示される容器１０では，短辺側面部４の上端における４箇所に，識別部材７が装着されている。容器１０に装着される前の単独の状態での識別部材７を，図２の斜視図に示す。図２中の左側に示される識別部材７は外面側から見たものであり，右側に示される識別部材７は内面側から見たものである。識別部材７は上方部８と側方部９とを有している。上方部８には，容器１０に装着された状態で上方向きに露出する上方露出面１１が形成されている。側方部９には，容器１０に装着された状態で側方向きに露出する側方露出面１２が形成されている。上方部８と側方部９とは互いに交差する方向に形成されている。すなわち上方部８は，上方部８と側方部９との接続箇所から水平方向に形成されている。一方側方部９は，垂直方向に形成されている。これにより，単独状態の識別部材７を側面視すると逆Ｌ字形に見えるようになっている。
【００１６】
識別部材７ではさらに，側方部９の両サイドに凹み部１３が形成されている。凹み部１３は，側方露出面１２よりも凹んだ位置にある。また，側方露出面１２のうち凹み部１３に挟まれた部分の幅ｗ１は，側方露出面１２のうちそれ以外の部分および上方露出面１１の幅ｗ２よりも狭い。そして側方部９の下端には，被係止部１４が設けられている。被係止部１４は，識別部材７が容器１０に装着された状態で，容器１０側の識別部材係止部（詳細は後述）と引っ掛かって抜け落ちを防止する部位である。
【００１７】
図３に，容器１０における短辺側面部４の付近の斜視図を示す。図３では短辺側面部４を，容器１０における外面側斜め上方から見ている。図３中では，２つの識別部材７の一方を装着済み，もう一方を装着前の状態としている。また図４に，短辺側面部４をさらに高い俯角から見下ろした斜視図を示す。図４中では，２つの識別部材７の一方のみを，装着前の状態で示している。なお，容器１０のうち識別部材７以外の部分を以下，容器本体１５という。前述の底面部２も長辺側面部３も短辺側面部４も，容器本体１５の一部分である。
【００１８】
図３，図４に示されるように，短辺側面部４における識別部材７が取り付けられる箇所には，取付形状部１６が形成されている。取付形状部１６は，識別部材７を，上方向きと外側方向きとに露出させるように取り付ける部位である。取付形状部１６には，上方取付形状部１７と側方取付形状部１８とが含まれている。上方取付形状部１７は，上フランジ５の上面から凹んだ部位であり，識別部材７の上方部８を保持する部位である。側方取付形状部１８は，短辺側面部４の外壁面１９の上面から凹んだ部位であり，識別部材７の側方部９を保持する部位である。側方取付形状部１８は，上フランジ５と下フランジ６との間の部位に形成されている。上方取付形状部１７と側方取付形状部１８とは繋がっている。これにより，図３中の左の取り付け状態の識別部材７に示されるように，上方露出面１１が上向きに，側方露出面１２が外側方向きに露出する状態で取り付けられるのである。
【００１９】
側方取付形状部１８にはさらに，識別部材保持部２０が形成されている。識別部材保持部２０は，側方取付形状部１８の両サイドから迫り出す形状の部位である。取り付け状態の識別部材７の側方部９の一部分に対して識別部材保持部２０が覆い被さるようになっている。具体的には，取り付け状態の識別部材７の側方部９のうち凹み部１３の部分が，識別部材保持部２０の内面側に潜り込む状態となる。
【００２０】
側方取付形状部１８における識別部材保持部２０同士の間隔Ｌ１（図３参照）は，識別部材７における前述の側方露出面１２（幅：ｗ１）をほぼ隙間なく収納できるように定められている。また，側方取付形状部１８におけるそれ以外の部分および上方取付形状部１７は，間隔Ｌ１よりも幅広（Ｌ２）で，識別部材７における幅がｗ２の部分をほぼ隙間なく収納できる部分である。この取付形状部１６のうち幅がＬ２の部分が，識別部材７を，間隔Ｌ１よりも幅広に露出させる拡幅露出部分である。
【００２１】
取り付け状態での識別部材７およびその周辺部分の詳細を，図５〜図９により説明する。図５は，識別部材７および容器本体１５を，識別部材７の凹み部１３の位置での鉛直面で切断して示す正視断面図である。図５に示される断面位置における側方取付形状部１８の下端は，識別部材係止部２１となっている。この識別部材係止部２１に識別部材７の被係止部１４が引っ掛かっている。これにより，識別部材７の容器本体１５からの抜け落ちが防止されている。また，識別部材７の上方露出面１１は，上フランジ５の上端面２２と同一面をなしもしくはそこから凹んでおり，上端面２２より上方へはみ出してはいない。同様に識別部材７の側方露出面１２は，短辺側面部４の外壁面１９と同一面をなしもしくはそこから凹んでおり，外壁面１９より外方へはみ出してはいない。図５に示した断面箇所を外側斜め上方から見た状況を図６に，同箇所を内側斜め下方から見上げた状況を図７に，それぞれ示す。
【００２２】
図８は，図５に対して切断位置を少し変えて示す正視断面図である。すなわち図８は，識別部材７および容器本体１５を，識別部材保持部２０同士の間の位置での鉛直面で切断して示している。図８に示される断面位置では，識別部材７の側方部９の下端が，容器本体１５の下フランジ６の上面に達している。図８に示した断面箇所を，図６と同じ俯角で見た状況を図９に示す。なお，本形態の容器１０の開口部は，図５および図８中に矢印Ｃで示されるレベルの位置である。これは，長辺側面部３および短辺側面部４の上端で囲まれている箇所である。
【００２３】
上記のように構成された容器１０では，容器本体１５の短辺側面部４の上方に，識別部材７を，側方部９を下向きにして配置する（図３の右側の識別部材７）。そして識別部材７を取付形状部１６に押し込む。これにより取付形状部１６に識別部材７を取り付けることができる。識別部材７の被係止部１４が容器本体１５の識別部材係止部２１に引っ掛かるまで識別部材７を押し込めば取り付け完了であり，その状態では識別部材７がひとりでに容器本体１５から脱落することはない。
【００２４】
この取り付け状態の識別部材７は，容器１０の真上からでも，また短辺側面部４側の真横からでも見ることができる。識別部材７の上方露出面１１と側方露出面１２とがいずれも露出しているからである。短辺側面部４側の斜め上方からであれば，上方露出面１１および側方露出面１２のいずれも見ることができる。つまり，普通に容器１０を見る場合にほぼ必ず，識別部材７が視認可能状態にある。また，識別部材７の一部が拡幅露出部分により幅広に露出しているので，より識別部材７が視認しやすくなっている。
【００２５】
よって，識別部材７として多種類の色のものを用意しておくことで，識別部材７の色を，容器１０の収納物の何らかの属性を示す識別表示として利用することができる。収納物の属性としては，種別，出荷予定先，出荷予定日，受取日，使用期限日等，何でもよい。例えば収納物の種別の識別表示として利用する場合には，種別ごとに色を指定しておく。そして，１つの容器本体１５には４つとも同じ色の識別部材７を装着するとともに，容器本体１５ごとに識別部材７の色を別々とするのである。こうすることで識別部材７の色により，その容器１０に収納されている物の種別を認識することができる。また，物を複数の容器１０のいずれかに収納しようとする場合に，どの容器１０に収納すべきかを認識することができる。種別以外の他の属性についても同様の利用ができる。
【００２６】
ここで前述のように識別部材７は見やすいので，識別部材７を見るために容器１０をぐるぐる回転させたり，あるいはユーザーが容器１０の回りをぐるぐる回ったりする必要がない。また，１つの容器本体１５に異なる色の識別部材７が混じって装着されているような誤装着状況があったとしても，直ちにそのことを認識することができる。普通に容器１０を見る場合にほぼ必ず，その容器１０の複数の識別部材７を同時に見ることができるからである。なお，１つの容器本体１５に異なる色の識別部材７を混装することを，誤装着状態とはみなさないで正しい運用の一態様として利用することを妨げるものではない。また，上方露出面１１や側方露出面１２に文字や模様を表示しておいて，その表示内容により上記の識別表示として利用することも可能である。この場合に，識別部材７の地色は１種類だけでもよいし，地色も複数種類としてもよい。
【００２７】
なお，本形態として上記に示した容器１０は，一旦装着した識別部材７を取り外して別の色の識別部材７を装着し直す，ということを頻繁に行うことを想定したものではない。しかし，識別部材７の取り外し自体は可能であるし，取り外した識別部材７も容器本体１５も再使用可能である。
【００２８】
また，本形態の容器１０は，複数個を段積みすることが可能なものである。図１０に，３個の容器１０を段積みした状態を示す。図１０に示したものでは，最下段の容器１０（１０１）と中段の容器１０（１０２）とは，互いに１８０°回転した状態で積み重ねられている。このため，上の容器１０（１０２）が下の容器１０（１０１）の収納空間に入り込んだ状態となっている。下の容器１０（１０１）が空荷の場合にこのような段積みが可能である。その分，積み重ね全体としての高さ方向寸法を小さく抑えることができる。
【００２９】
一方，中段の容器１０（１０２）と最上段の容器１０（１０３）とは，同じ向きにした状態で積み重ねられている。このため，上の容器１０（１０３）は下の容器１０（１０２）の収納空間に入り込んでいない。下の容器１０（１０１）に収納物が現に入っている場合にはこのような段積みとする。これにより，下の容器１０の収納物が保護される。また，多数の容器１０を段積みした状況において，どの段の容器１０が空荷であるか，あるいは収納物が入っているか，容易に把握することができる。
【００３０】
以上詳細に説明したように本実施の形態によれば，容器本体１５と，容器本体１５に取り付けられる識別部材７とからなる容器１０において，取り付け状態では識別部材７が上方向きにも側方向きにも露出するようにしている。これにより，取り付けられている識別部材７を，外面側からのみならず上方からでも見ることができる容器１０が実現されている。
【００３１】
なお，本実施の形態は単なる例示にすぎず，本発明を何ら限定するものではない。したがって本発明は当然に，その要旨を逸脱しない範囲内で種々の改良，変形が可能である。例えば，容器本体１５における識別部材７の個数は任意である。４個より多くてもよいし少なくてもよい。１個だけでもよい。また識別部材７の取り付け箇所も，短辺側面部４には限られない。長辺側面部３に識別部材７を取り付けるようになっていてもよい。長辺側面部３と短辺側面部４との両方に識別部材７を取り付けるようになっていてもよい。
【００３２】
また，容器の全体形として，図示したような長方形に限らず，正方形でもよいし，さらにそれ以外の多角形でもよい。また，円形や長円形等，多角形ですらない形状でもよい。さらに，識別部材７を側面部（長辺側面部３もしくは短辺側面部４）の上方向きおよび外側方向きに露出させる代わりに，上方向きおよび内側方向きに露出させるようになっていてもよい。
【００３３】
また，本形態は，識別部材７を容器本体１５の上方から取付形状部１６に押し込んで装着する構成のものであるが，このような形に限定されるものではない。識別部材７を容器本体１５の側面部（長辺側面部３もしくは短辺側面部４）の上端付近に対して側方から水平に押し込んで装着する構成でもよい。つまり，本形態にて側方取付形状部１８の一部として示した識別部材保持部２０や識別部材係止部２１は，上方取付形状部１７の一部として形成されているものであってもよい。その場合には当然に，本形態にて識別部材７の側方部９の一部として示した凹み部１３や被係止部１４は，上方部８の一部として形成されることとなる。
【００３４】
また，本形態では，容器本体１５による識別部材７の保持を，識別部材保持部２０による覆いと，識別部材係止部２１と被係止部１４との引っ掛かりとの両方で行うようになっている。しかしこのことも必須ではなく，いずれか一方だけであってもよい。さらには，識別部材７を安定して保持できる構成でさえあればよく，これらの少なくとも一方を必ず備えていなければならない訳ではない。さらには，識別部材７の上方部８と側方部９とが別体になっていてもよい。
【符号の説明】
【００３５】
２    底面部
３    長辺側面部（側面部）
４    短辺側面部（側面部）
５    上フランジ
６    下フランジ
７    識別部材
８    上方部
９    側方部
１０  容器
１１  上方露出面
１２  側方露出面
１５  容器本体
１６  取付形状部
１７  上方取付形状部
１８  側方取付形状部
１９  外壁面（壁面）
２０  識別部材保持部
２１  識別部材係止部
２２  上端面
Ｌ２  拡幅露出部分の幅
【図１】
2019064715.tif 000003
【図２】
2019064715.tif 000004
【図３】
2019064715.tif 000005
【図４】
2019064715.tif 000006
【図５】
2019064715.tif 000007
【図６】
2019064715.tif 000008
【図７】
2019064715.tif 000009
【図８】
2019064715.tif 000010
【図９】
2019064715.tif 000011
【図１０】
2019064715.tif 000012